(57)【要約】【課題】  被写体を照明する照明装置および照明部における省電力化を図ること。【解決手段】  被写体を照明する照明部と、情報を表示する表示部と、表示部を照明する表示用照明部と、測光情報を取得する取得部と、測光情報に応じて、表示用照明部による照明光量を調整する制御部とを備える。【選択図】      図１
2007199602.tif 000002
【特許請求の範囲】
【請求項１】
被写体を照明する照明部と、
情報を表示する表示部と、
前記表示部を照明する表示用照明部と、
測光情報を取得する取得部と、
前記測光情報に応じて、前記表示用照明部による照明光量を調整する制御部と
を備えたことを特徴とするカメラ用照明装置。
【請求項２】
被写体を照明する照明部と、
情報を表示する自光式の表示部と、
測光情報を取得する取得部と、
前記測光情報に応じて、前記表示部の明るさを調整する制御部と
を備えたことを特徴とするカメラ用照明装置。
【請求項３】
請求項１または請求項２に記載のカメラ用照明装置において、
前記照明部による照明に関わる測光を行うとともに、前記表示部の周辺光量を測光する測光部を備え、
前記取得部は、前記測光部により測光した前記周辺光量を、前記測光情報として取得する
ことを特徴とするカメラ用照明装置。
【請求項４】
請求項３に記載のカメラ用照明装置において、
前記測光部は、前記照明部による照明に関わる測光を、前記周辺光量の測光よりも常に優先的に行う
ことを特徴とするカメラ用照明装置。
【請求項５】
請求項１に記載のカメラ用照明装置において、
ユーザによる撮影開始指示を受け付ける受付部を備え、
前記制御部は、前記撮影開始指示を受け付けると、前記表示用照明部を消灯する
ことを特徴とするカメラ用照明装置。
【請求項６】
請求項２に記載のカメラ用照明装置において、
ユーザによる撮影開始指示を受け付ける受付部を備え、
前記制御部は、前記撮影開始指示を受け付けると、前記表示部による前記情報の表示を中止する
ことを特徴とするカメラ用照明装置。
【請求項７】
被写体を照明する照明部と、
情報を表示する表示部と、
前記照明部による照明に関わる測光を行うとともに、前記表示部の周辺光量を測光する測光部と、
前記表示部を照明する表示用照明部と、
前記測光部による測光結果に応じて、前記表示用照明部による照明光量を調整する制御部と
を備えたことを特徴とするカメラ用照明装置。
【請求項８】
被写体を照明する照明部と、
情報を表示する自光式の表示部と、
前記照明部による照明に関わる測光を行うとともに、前記表示部の周辺光量を測光する測光部と、
前記測光部による測光結果に応じて、前記表示部の明るさを調整する制御部と
を備えたことを特徴とするカメラ。
【請求項９】
請求項７または請求項８に記載のカメラにおいて、
前記測光部は、前記照明部による照明に関わる測光を、前記周辺光量の測光よりも常に優先的に行う
ことを特徴とするカメラ。
【請求項１０】
請求項７に記載のカメラにおいて、
ユーザによる撮影開始指示を受け付ける受付部を備え、
前記制御部は、前記撮影開始指示を受け付けると、前記表示用照明部を消灯する
ことを特徴とするカメラ。
【請求項１１】
請求項８に記載のカメラにおいて、
ユーザによる撮影開始指示を受け付ける受付部を備え、
前記制御部は、前記撮影開始指示を受け付けると、前記表示部による前記情報の表示を中止する
ことを特徴とするカメラ。
【発明の詳細な説明】
【技術分野】
【０００１】
本発明は、被写体を照明するカメラ用照明装置および被写体を照明する照明部を備えたカメラに関する。
【背景技術】
【０００２】
カメラ用照明装置およびカメラには、情報表示用の表示部を備えたものがある。このような表示部において、適切な照明を行うとともに無駄の無い照明を実現するための技術が考えられている（例えば、特許文献１）。
特許文献１の発明では、ホルダの前面に半透過型液晶パネルを備えたＬＣＤの照明装置において、液晶パネルの背面側の明るさを測光する測光手段を備え、検出した明るさが所定値よりも低いときに照明手段を点灯させることにより、適切な照明を行うとともに無駄の無い照明を実現している。
【特許文献１】特許第２７６１７３３号
【発明の開示】
【発明が解決しようとする課題】
【０００３】
しかし、上述した発明は、液晶パネルの背面側の明るさを測光する測光手段をわざわざ備える必要がある。また、この測光手段を備えるために、ＬＣＤの空間的な構成が制限される。
本発明のカメラ用照明装置および照明部を備えたカメラは、被写体を照明する照明装置および照明部における省電力化を図ることを目的とする。
【課題を解決するための手段】
【０００４】
本発明のカメラ用照明装置は、被写体を照明する照明部と、情報を表示する表示部と、前記表示部を照明する表示用照明部と、測光情報を取得する取得部と、前記測光情報に応じて、前記表示用照明部による照明光量を調整する制御部とを備える。
本発明の別のカメラ用照明装置は、被写体を照明する照明部と、情報を表示する自光式の表示部と、測光情報を取得する取得部と、前記測光情報に応じて、前記表示部の明るさを調整する制御部とを備える。
【０００５】
なお、好ましくは、前記照明部による照明に関わる測光を行うとともに、前記表示部の周辺光量を測光する測光部を備え、前記取得部は、前記測光部により測光した前記周辺光量を、前記測光情報として取得しても良い。
また、好ましくは、前記測光部は、前記照明部による照明に関わる測光を、前記周辺光量の測光よりも常に優先的に行っても良い。
【０００６】
また、好ましくは、ユーザによる撮影開始指示を受け付ける受付部を備え、前記制御部は、前記撮影開始指示を受け付けると、前記表示用照明部を消灯しても良い。
また、好ましくは、ユーザによる撮影開始指示を受け付ける受付部を備え、前記制御部は、前記撮影開始指示を受け付けると、前記表示部による前記情報の表示を中止しても良い。
【０００７】
本発明のカメラは、被写体を照明する照明部と、情報を表示する表示部と、前記照明部による照明に関わる測光を行うとともに、前記表示部の周辺光量を測光する測光部と、前記表示部を照明する表示用照明部と、前記測光部による測光結果に応じて、前記表示用照明部による照明光量を調整する制御部とを備える。
本発明の別のカメラは、被写体を照明する照明部と、情報を表示する自光式の表示部と、前記照明部による照明に関わる測光を行うとともに、前記表示部の周辺光量を測光する測光部と、前記測光部による測光結果に応じて、前記表示部の明るさを調整する制御部とを備える。
【０００８】
なお、好ましくは、前記測光部は、前記照明部による照明に関わる測光を、前記周辺光量の測光よりも常に優先的に行っても良い。
また、好ましくは、ユーザによる撮影開始指示を受け付ける受付部を備え、前記制御部は、前記撮影開始指示を受け付けると、前記表示用照明部を消灯しても良い。
また、好ましくは、ユーザによる撮影開始指示を受け付ける受付部を備え、前記制御部は、前記撮影開始指示を受け付けると、前記表示部による前記情報の表示を中止しても良い。
【発明の効果】
【０００９】
本発明のカメラ用照明装置および照明部を備えたカメラによれば、被写体を照明する照明装置および照明部における省電力化を図ることができる。
【発明を実施するための最良の形態】
【００１０】
＜第１実施形態＞
以下、図面を用いて本発明の第１実施形態について説明する。第１実施形態では、被写体を照明するカメラ用照明装置を例に挙げて説明する。
カメラ用照明装置１は、図１Ａの前面外観図に示すように、発光窓２、受光窓３、接続端子４を備える。接続端子４は、Ｘ接点を含み、接続したカメラから各種情報を示す信号を取得する。特に、Ｘ接点を介してレリーズ信号などの信号を取得する。
【００１１】
また、カメラ用照明装置１は、図１Ｂの背面外観図に示すように、背面に液晶モニタ５、各種ボタン６を備える。
図２は、カメラ用照明装置１の機能ブロック図である。カメラ用照明装置１は、図２に示すように、発光窓２を介して被写体に照明光を発光する発光部７、不図示の調光素子を備え、受光窓３を介して被写界を測光する測光部８、各種ボタン６を含む操作部９、各部を制御するＣＰＵ１０、液晶モニタ５を制御する表示制御部１１、液晶モニタ５を照明するバックライトであるモニタ用照明部１２、モニタ用照明部１２を制御する照明制御部１３、接続端子４を介してカメラと接続する接続部１４を備える。
【００１２】
測光部８の不図示の調光素子は、フォトダイオードなどである。測光部８は、発光部７による照明に関わる調光用の測光を行うとともに、カメラ用照明装置１の周辺光量を測光する。照明制御部１３は、モニタ用照明部１２を点灯または消灯する。
図２において、測光部８、表示制御部１１、照明制御部１３、接続部１４は、ＣＰＵ１０と相互に接続される。また、ＣＰＵ１０の出力は、発光部７にも接続される。また、操作部９の状態はＣＰＵ１０により検知される。また、表示制御部１１の出力は液晶モニタ５に接続され、照明制御部１３の出力はモニタ用照明部１２に接続される。
【００１３】
また、カメラ用照明装置１は、発光部７による照明に関わる調光に関して、２種類のモードを有する。１つは、測光部８による調光を行う「外部調光モード」であり、もう１つは、カメラ用照明装置１に接続したカメラにおいて、撮影レンズを通過する光束に基づいて調光を行う「ＴＴＬ調光モード」である。調光モードの選択は、カメラ用照明装置１に接続したカメラの操作部か、または、カメラ用照明装置１の操作部９を介して行われる。
【００１４】
以上説明した構成のカメラ用照明装置１において、接続部１４を介してレリーズ信号を取得すると、ＣＰＵ１０はこれを検知し、発光部７を介して撮像用の発光を行う。なお、ＣＰＵ１０は、外部調光モードにおいては、測光部８による調光に基づいて、発光部７による発光量を決定する。また、ＣＰＵ１０は、ＴＴＬ調光モードにおいては、接続部１４を介してカメラから調光情報を取得し、取得した調光情報に基づいて、発光部７による発光量を決定する。
【００１５】
次に、カメラ用照明装置１使用時のＣＰＵ１０の動作について、図３および図４のフローチャートを用いて説明する。
ステップＳ１において、ＣＰＵ１０は、操作部９が操作されたか否かを判定する。ＣＰＵ１０は、操作部９が操作されたと判定するとステップＳ２に進み、操作部９が操作されていないと判定すると後述するステップＳ７に進む。
【００１６】
ステップＳ２において、ＣＰＵ１０は、ステップＳ１で判定した操作に応じた処理を行う。各処理の具体的な方法については、公知技術と同様であるため説明を省略する。
ステップＳ３において、ＣＰＵ１０は、測光部８を介して、周辺光量の測光を行う。なお、ＣＰＵ１０は、蛍光灯など、周辺の光源の点滅などの影響を避けるためにデータを何点かサンプリングする。
【００１７】
ステップＳ４において、ＣＰＵ１０は、ステップＳ３の測光結果に応じて、測定値が閾値未満であるか否かを判定する。ＣＰＵ１０は、測定値が閾値未満であると判定するとステップＳ５に進み、測定値が閾値以上であると判定すると後述するステップＳ７に進む。
なお、閾値は予め定められた数値であり、ＣＰＵ１０内の不図示のメモリに予め記録される。この閾値は、ユーザにより指定可能としても良い。
【００１８】
ＣＰＵ１０は、ステップＳ３において、サンプリングした複数のデータの平均値を求めて閾値と比較する。このような構成とすることにより、周辺の光源の点滅などの影響を避けることができる。
なお、データを何点かサンプリングすることに加えて、ローパスフィルタ処理などのハード的な処理を追加する構成としても良い。また、データを何点かサンプリングすることに代えて、前述したハード的な処理を行う構成としても良い。
【００１９】
ステップＳ５において、ＣＰＵ１０は、照明制御部１３を介してモニタ用照明部１２を点灯する。すなわち、ＣＰＵ１０は、ステップＳ１で操作部９が操作されたと判定し、かつ、ステップＳ４で測定値が閾値未満であると判定した場合にのみ、モニタ用照明部１２を点灯する。
ステップＳ６において、ＣＰＵ１０は、モニタ用照明タイマをセットする。ＣＰＵ１０は、内部に不図示のモニタ用照明タイマを備える。ＣＰＵ１０は、モニタ用照明タイマを所定の値（例えば、５〜１０秒程度）にセットする。そして、ＣＰＵ１０は、このタイマが０になると、照明制御部１３を介してモニタ用照明部１２を消灯する。すなわち、ＣＰＵ１０は、モニタ用照明タイマに応じて、モニタ用照明部１２を一定時間点灯した後に消灯する。したがって、モニタ用照明部１２を点灯したままにすること無く、必要な時間のみ点灯することができる。
【００２０】
ステップＳ７において、ＣＰＵ１０は、モニタ用照明タイマ＝０であるか否かを判定する。ＣＰＵ１０は、モニタ用照明タイマ＝０であると判定するとステップＳ８に進み、モニタ用照明タイマ＝０でないと判定するとステップＳ１に戻る。
ステップＳ８において、ＣＰＵ１０は、照明制御部１３を介してモニタ用照明部１２を消灯する。そして、ＣＰＵ１０は、モニタ用照明部１２を消灯するとステップＳ１に戻る。
【００２１】
以上説明した処理中に、接続部１４を介してカメラからレリーズ信号を取得すると、ＣＰＵ１０は、レリーズ操作が行われたと判定し、図４のフローチャートに示す割り込み処理を行う。
レリーズ信号の検出は、Ｘ接点をＣＰＵ１０の割り込み端子に接続しておくことによって常に優先的に実行することができる。
【００２２】
ステップＳ１１において、ＣＰＵ１０は、外部調光モードであるか否かを判定する。ＣＰＵ１０は、外部調光モードであると判定するとステップＳ１２に進み、外部調光モードでないと判定すると後述するステップＳ１３に進む。
ステップＳ１２において、ＣＰＵ１０は、測光部８を介して、調光用の測光を行う。すなわち、カメラ用照明装置１の測光部８を用いて、発光部７による照明に関わる調光を行う。
【００２３】
ステップＳ１３において、ＣＰＵ１０は、照明制御部１３を介してモニタ用照明部１２を消灯する。このように、モニタ用照明部１２を消灯することにより、発光用の昇圧に電力を優先的に利用することができる。また、撮像時には、液晶モニタ５の視認の必要が無いため、消灯しても問題は無い。
ステップＳ１４において、ＣＰＵ１０は、モニタ用照明タイマ＝０としてリセットする。
【００２４】
ステップＳ１５において、ＣＰＵ１０は、発光部７を介して、撮像用の発光を行う。撮像用の発光の具体的な方法については、公知技術と同様であるため説明を省略する。
ＣＰＵ１０は、以上説明した処理を終了すると、図３のフローチャートのステップＳ１に戻る。
図５に、周辺光量とモニタ用照明部１２の点灯または消灯との関係を示す。ＣＰＵ１０は、図５のａに示すように、図３のフローチャートのステップＳ４の判定により測定値が閾値未満であると判定するとモニタ用照明部１２を点灯する。また、測定値が閾値以上であると判定するとモニタ用照明部１２を消灯する。
【００２５】
なお、第１実施形態では、照明制御部１３が、モニタ用照明部１２を点灯または消灯する例を示したが、モニタ用照明部１２の照明光量を調整可能としても良い。このような場合には、例えば、図５のｂに示すように、周辺光量に応じて、モニタ用照明部１２の照明光量を調整すれば良い。
以上説明したように、第１実施形態によれば、被写体を照明する照明部と、情報を表示する表示部と、表示部を照明する表示用照明部と、測光情報を取得する取得部と、測光情報に応じて、表示用照明部による照明光量を調整する制御部とを備える。したがって、測光情報に基づいて、必要な場合にのみ、必要な照明光量で表示用照明部を点灯することができる。そのため、被写体を照明する照明装置における省電力化を図ることができる。
【００２６】
また、第１実施形態によれば、照明部による照明に関わる測光を行うとともに、表示部の周辺光量を測光する測光部を備え、測光部により測光した周辺光量を、測光情報とする。したがって、カメラ用照明装置に従来から備えられている調光用の測光部を有効に利用することができる。特に、調光用の測光部は、カメラのレリーズが行われた後に、発光部による発光量を調整する間だけ使用されていたものであり、その前後では有効利用されていなかった。第１実施形態によれば、調光用の測光部を周辺光量の測光用のセンサとして有効に活用することができる。また、従来技術のように、液晶パネルの背面側の明るさを測光する測光手段をわざわざ備える必要も無い。
【００２７】
また、第１実施形態によれば、測光部は、照明部による照明に関わる測光を、周辺光量の測光よりも常に優先的に行う。したがって、カメラ用照明装置において最も優先的に行うべき動作である発光に関わる動作を、常に優先的に実行することができる。
また、第１実施形態によれば、ユーザによる撮影開始指示を受け付ける受付部を備え、撮影開始指示を受け付けると、表示用照明部を消灯する。したがって、発光用の昇圧に電力を優先的に利用することができる。また、撮像時には、液晶モニタ５の視認の必要が無いため、消灯することにより、さらなる省電力化を図ることができる。
【００２８】
なお、第１実施形態では、カメラ用照明装置１が、調光用の測光部８を備える例を示したが、調光用の測光部８を備えないカメラ用照明装置にも本発明を同様に適用することができる。調光用の測光部８を備えないカメラ用照明装置に本発明を適用する場合には、カメラとの接続部を介して、第１実施形態の周辺光量に該当する測光情報を取得する構成とすれば良い。また、調光用の測光部８を備えないカメラ用照明装置に、周辺光量を測光するための測光部を備えても良い。この測光部は、カメラ用照明装置の表示部近傍に設ければ良いため、従来技術のように液晶パネルの背面側の明るさを測光する測光手段と比べて、ＬＣＤの空間的な構成が制限されない。
【００２９】
さらに、カメラ用照明装置１の測光部８による測光結果に、接続部１４を介してカメラから取得した情報を加味して、一連の判定を行う構成としても良い。
また、第１実施形態では、カメラ用照明装置１の背面に液晶モニタ５を備える構成としたが、上面や側面に備えても良い。また、液晶モニタ以外の表示素子にも本発明を同様に適用することができる。
【００３０】
また、カメラ用照明装置１の測光部８による測光結果に基づいて、カメラの表示部を同様に制御する構成としても良い。このような構成により、カメラ用照明装置１の液晶モニタ５とカメラの表示部とを、連動して制御することができるので、ユーザの違和感を軽減することができる。
＜第２実施形態＞
以下、図面を用いて本発明の第２実施形態について説明する。第２実施形態では、被写体を照明する照明部を備えた電子カメラを例に挙げて説明する。
【００３１】
第２実施形態の電子カメラ５１は、図６Ａの前面外観図に示すように、上面に電源ボタン５２、レリーズボタン５３を備える。また、前面に撮影レンズ５４、発光窓５５、受光窓５６を備える。
また、電子カメラ５１は、図６Ｂの背面外観図に示すように、背面にモニタ５７、ズームボタン５８、十字ボタン５９を備える。電子カメラ５１は、この他に、モード選択ボタン、再生ボタン、決定ボタン、メニューボタン、ゴミ箱ボタンなどを備えても良い。モニタ５７は、有機ＥＬなどの自光式の表示素子を有する。
【００３２】
図７は、電子カメラ５１の機能ブロック図である。電子カメラ５１は、図７に示すように、撮影レンズ５４や不図示の撮像素子を含む撮像部６０、電源ボタン５２、レリーズボタン５３、ズームボタン５８、十字ボタン５９などを含む操作部６１、各部を制御するＣＰＵ６２、モニタ５７を制御する表示制御部６３、発光窓５５を介して被写体に照明光を発光する発光部６４、受光窓５６を介して被写界を測光する測光部６５、画像などを記録する記録部６６を備える。
【００３３】
測光部６５の不図示の調光素子は、フォトダイオードなどである。測光部６５は、発光部６４による照明に関わる調光用の測光を行うとともに、電子カメラ５１の周辺光量を測光する。表示制御部６３は、モニタ５７の表示内容を制御するとともに、モニタ５７の明るさを調整する。
図７において、撮像部６０、表示制御部６３、測光部６５、記録部６６は、ＣＰＵ６２と相互に接続される。また、ＣＰＵ６２の出力は、発光部６４にも接続される。また、操作部６１の状態はＣＰＵ６２により検知され、表示制御部６３の出力はモニタ５７に接続される。
【００３４】
以上説明した構成の電子カメラ５１において、レリーズボタン５３を介して、被写体像の撮像が指示されると、ＣＰＵ６２はこれを検知し、撮像部６０を介して被写体像の撮像を行う。そして、ＣＰＵ６２は、撮像により生成した画像を記録部６６に記録する。
次に、電子カメラ５１使用時のＣＰＵ６２の動作について、図８および図９のフローチャートを用いて説明する。
【００３５】
ステップＳ２１において、ＣＰＵ６２は、操作部６１が操作されたか否かを判定する。ＣＰＵ６２は、操作部６１が操作されたと判定するとステップＳ２２に進み、操作部６１が操作されていないと判定すると後述するステップＳ２７に進む。
ステップＳ２２において、ＣＰＵ６２は、ステップＳ２１で判定した操作に応じた処理を行う。各処理の具体的な方法については、公知技術と同様であるため説明を省略する。
【００３６】
ステップＳ２３において、ＣＰＵ６２は、測光部６５を介して、周辺光量の測光を行う。なお、ＣＰＵ６２は、蛍光灯など、周辺の光源の点滅などの影響を避けるためにデータを何点かサンプリングする。
ステップＳ２４において、ＣＰＵ６２は、ステップＳ２３の測光結果に応じて、モニタ５７の明るさを決定する。ＣＰＵ６２は、ＣＰＵ６２内の不図示のメモリに、図１０に示すような周辺光量とモニタ５７の明るさとの関係を示すテーブルを予め備える。そして、ＣＰＵ６２は、例えば、図１０のａに示す直線のように、測光結果に応じて、モニタ５７の明るさを決定する。ＣＰＵ６２は、ステップＳ２３において、サンプリングした複数のデータの平均値を求め、この平均値に応じて、モニタ５７の明るさを決定する。このような構成とすることにより、周辺の光源の点滅などの影響を避けることができる。
【００３７】
なお、データを何点かサンプリングすることに加えて、ローパスフィルタ処理などのハード的な処理を追加する構成としても良い。また、データを何点かサンプリングすることに代えて、前述したハード的な処理を行う構成としても良い。
ステップＳ２５において、ＣＰＵ６２は、表示制御部６３を介してモニタ５７の明るさを調整する。
【００３８】
ステップＳ２６からステップＳ２７において、ＣＰＵ６２は、第１実施形態のフローチャートのステップＳ６からステップＳ７と同様の処理を行う。
ステップＳ２８において、ＣＰＵ６２は、表示制御部６３を介してモニタ５７の表示を中止する。そして、ＣＰＵ６２は、モニタ５７の表示を中止するとステップＳ２１に戻る。
【００３９】
以上説明した処理中に、操作部６１を介してレリーズ操作が行われると、ＣＰＵ６２は、これを検知し、図９のフローチャートに示す割り込み処理を行う。
ステップＳ３１において、ＣＰＵ６２は、測光部８を介して、調光用の測光を行う。なお、ＣＰＵ６２は、図８のフローチャートのステップＳ２３と同様に、データを何点かサンプリングすることにより、蛍光灯など、周辺の光源の点滅などの影響を避ける。
【００４０】
ステップＳ３２において、ＣＰＵ６２は、表示制御部６３を介してモニタ５７の表示を中止する。このように、モニタ５７の表示を中止することにより、発光用の昇圧に電力を優先的に利用することができる。また、撮像時には、モニタ５７の視認の必要が無いため、消灯しても問題は無い。
ステップＳ３３において、ＣＰＵ６２は、モニタ用照明タイマ＝０としてリセットする。
【００４１】
ステップＳ３４において、ＣＰＵ６２は、発光部６４を介して、撮像用の発光を行う。撮像用の発光の具体的な方法については、公知技術と同様であるため説明を省略する。
ＣＰＵ６２は、以上説明した処理を終了すると、図８のフローチャートのステップＳ２１に戻る。
なお、第２実施形態では、表示制御部６３が、モニタ５７の明るさを調整する例を示したが、単にモニタ５７の表示をＯＮ／ＯＦＦする構成としても良い。このような場合には、例えば、図１０のｂに示すように、第１実施形態と同様の閾値を設けて、モニタ５７の表示をＯＮ／ＯＦＦすれば良い。ただし、モニタ５７は、有機ＥＬなどの自光式の表示素子を有するため、ＯＦＦの場合でも所定の明るさ（図１０中ｄ）が必要である。
【００４２】
以上説明したように、第２実施形態によれば、被写体を照明する照明部と、情報を表示する自光式の表示部と、照明部による照明に関わる測光を行うとともに、表示部の周辺光量を測光する測光部と、測光部による測光結果に応じて、表示部の明るさを調整する制御部とを備える。したがって、測光結果に基づいて、必要な場合にのみ、必要な明るさで表示を行うことができる。そのため、照明部を備えたカメラにおける省電力化を図ることができる。また、カメラに従来から備えられている調光用の測光部を有効に利用することができる。特に、調光用の測光部は、カメラのレリーズが行われた後に、発光部による発光量を調整する間だけ使用されていたものであり、その前後では有効利用されていなかった。第２実施形態によれば、調光用の測光部を周辺光量の測光用のセンサとして有効に活用することができる。
【００４３】
また、第２実施形態によれば、測光部は、照明部による照明に関わる測光を、周辺光量の測光よりも常に優先的に行う。したがって、カメラにおいて最も優先的に行うべき動作である撮像のための発光に関わる動作を、常に優先的に実行することができる。
また、第２実施形態によれば、ユーザによる撮影開始指示を受け付ける受付部を備え、撮影開始指示を受け付けると、表示部による情報の表示を中止する。したがって、発光用の昇圧に電力を優先的に利用することができる。また、撮像時には、モニタ５７の視認の必要が無いため、表示を中止することにより、さらなる省電力化を図ることができる。
【００４４】
なお、第２実施形態では、自光式のモニタ５７を備える例を示したが、第１実施形態と同様に、表示部と表示部を照明する表示用照明部とを備える構成としても良い。また、第１実施形態のカメラ用照明装置に、第２実施形態で説明した自光式の表示部を備える構成としても良い。
また、第２実施形態では、電子カメラ５１の背面に備えられたモニタ５７を例に挙げて説明したが、上面や側面に備えられた他の表示部にも本発明を同様に適用することができる。
【００４５】
また、第１実施形態の図５および第２実施形態の図１０で示した周辺光量とモニタ用照明部による照明光量またはモニタの明るさとの関係は、一例である。ユーザの要望や表示部の特性などに応じて、適宜設定するのが好ましい。
また、第１実施形態および第２実施形態で説明した発明は、電子カメラおよび銀塩カメラの双方に適用可能である。また、カメラ付き携帯電話にも同様に適用可能である。
【図面の簡単な説明】
【００４６】
【図１】カメラ用照明装置１の外観図である。
【図２】カメラ用照明装置１の機能ブロック図である
【図３】カメラ用照明装置１の動作を示すフローチャートである。
【図４】カメラ用照明装置１の動作を示す別のフローチャートである。
【図５】周辺光量とモニタ用照明部による照明光量との関係を示すグラフである。
【図６】電子カメラ５１の外観図である。
【図７】電子カメラ５１の機能ブロック図である
【図８】電子カメラ５１の動作を示すフローチャートである。
【図９】電子カメラ５１の動作を示す別のフローチャートである。
【図１０】周辺光量とモニタの明るさとの関係を示すグラフである。
【符号の説明】
【００４７】
１，カメラ用照明装置  ２・５５，発光窓  ３・５６，受光窓  ５，液晶モニタ  ７・６４，発光部  ８・６５，測光部  ９・６１，操作部  １０・６２，ＣＰＵ  １１・６３，表示制御部  １２，モニタ用照明部  １３，照明制御部  ５７，モニタ
【図１】
2007199602.tif 000003
【図２】
2007199602.tif 000004
【図３】
2007199602.tif 000005
【図４】
2007199602.tif 000006
【図５】
2007199602.tif 000007
【図６】
2007199602.tif 000008
【図７】
2007199602.tif 000009
【図８】
2007199602.tif 000010
【図９】
2007199602.tif 000011
【図１０】
2007199602.tif 000012